(57)【要約】【課題】パソコンでの広告において、ソフト提供者、ソフト利用者、広告提供者のいずれにも有用な広告配信方法、広告取得プログラムを提供する。【解決手段】ネットワークを介して広告情報をクライアントに配信する広告配信サーバでの広告配信方法であって、前記クライアントが正規のクライアントかどうかを認証する段階と、前記広告が表示される際に使用されるソフトを前記クライアントが使用可能とするためのライセンス情報を送信する段階と、前記クライアントに広告情報を配信する段階と、前記広告情報の広告が前記クライアントで表示された時間を含む実績情報を受信する段階とを有する。【選択図】図４
2004302697.tif 000002
【特許請求の範囲】
【請求項１】
ネットワークを介して広告情報を配信する広告配信サーバと、前記広告配信サーバから前記広告情報を取得するとともに、所定のソフトが動作している際に、前記広告情報の広告を表示するクライアントとを有する広告配信システムでの広告配信方法であって、
前記広告配信サーバは、
所定時間毎に前記クライアントが有する前記ソフトのライセンスの確認を行う段階と、
前記クライアントに広告情報を配信する段階とを有し、
前記クライアントは、
前記広告配信サーバと前記ソフトを一定期間使用可能とするためのライセンスを確認する段階と、
前記広告配信サーバから取得した前記広告情報の広告を表示する段階と、
を有することを特徴とする広告配信方法。
【請求項２】
前記クライアントは、前記広告情報の広告が表示された時間、または回数を含む実績情報を生成する段階と、
前記実績情報を前記広告配信サーバに送信する段階と
を有することを特徴とする広告配信方法。
【請求項３】
前記広告配信サーバは、前記広告配信サーバが有する複数の広告情報から、前記クライアントが有する前記ソフトの属性、または利用者の属性により広告情報を選択する段階と、
選択された広告情報である選択広告情報を送信する段階と
を有することを特徴とする請求項１または２に記載の広告配信方法。
【請求項４】
前記クライアントは、前記選択広告情報から、表示する広告の広告情報を選択する段階を有すること
を特徴とする請求項３に記載の広告配信方法。
【請求項５】
前記実績情報は、前記クライアントを利用するユーザからの前記広告に対するコメントを含むことを特徴とする請求項２から４のいずれか１項に記載の広告配信方法。
【請求項６】
前記クライアントは、前記広告情報を取得する時期、或いは表示する時期を設定する段階を有することを特徴とする請求項１から５のいずれかに記載の広告配信方法。
【請求項７】
所定のソフトが動作している際に広告を表示するクライアントにネットワークを介して広告情報を配信する広告配信サーバでの広告配信方法であって、
所定時間毎に前記クライアントの有する前記ソフトのライセンスの確認を行う段階を有することを特徴とする広告配信方法。
【請求項８】
前記クライアントで前記広告情報の広告が表示された時間、または回数を含む実績情報を受信する段階を有することを特徴とする請求項７に記載の広告配信方法。
【請求項９】
複数の広告情報から、前記クライアントが有する前記ソフトの属性により広告情報を選択する段階と、
選択された広告情報である選択広告情報を送信する段階と
を有することを特徴とする請求項７または８に記載の広告配信方法。
【請求項１０】
広告を配信する広告配信サーバからネットワークを介して広告情報を受信し、所定のソフトが動作している際に、前記広告情報の広告を表示するクライアントに、
前記広告配信サーバと前記ソフトを一定期間使用可能とするためのライセンスを確認する手順と、
前記広告配信サーバから取得した前記広告情報の広告を表示する手順と、
前記クライアントは、前記広告情報の広告が表示された時間、または回数を含む実績情報を生成する手順と、
前記実績情報を前記広告配信サーバに送信する手順と
を実行させるための広告取得プログラム。
【発明の詳細な説明】
【０００１】
【発明の属する技術分野】
本発明はパソコンにおける広告に関し、特に、広告配信方法、広告取得プログラムに関する。
【０００２】
【従来の技術】
パソコンを利用した広告提供媒体として、現在Ｗｅｂページ上のバナー広告や、メール配信がある。また、パッケージソフトなどのソフト提供者が販売価格を下げるために、パッケージソフトにアドオンした広告もある。この場合、初期立上げ時、一定間隔、又は常時、メニューや一定箇所に広告を表示することで広告分の金額負担を軽減する仕組みとなっている。
【０００３】
【特許文献１】
特開２００２−２６９４３０号公報
【０００４】
【特許文献２】
特開２００２−１５０１４５号公報
【０００５】
【発明が解決しようとする課題】
上記広告のうち、バナー広告は、基本的にＰＵＬＬ型であり不特定多数の人を待ち受けてもらう必要がある。従って露出頻度を多くしなければならず、広告提供者にとって多くの広告ページで行うことが必要となる。しかし、個々の広告ページには多くの他の情報と一緒に広告されるため、目的の人に注目してもらい難い。また、メール配信による広告では、ＰＵＳＨ型で多くの人に配信できるが、多くの人にとっては迷惑な情報となり、反感を与え、逆効果となることすらある。
【０００６】
さらに、個々のパッケージソフトなどのソフトにアドオンされた広告では、広告の内容が更新されず煩わしく、この広告を見る利点がなくなるため利用者に悪感情を与え逆効果となるという問題があった。
【０００７】
このように、パソコンにおける従来の広告は、ソフト提供者、ソフト利用者、広告提供者のいずれにとっても有用なものではなかった。
【０００８】
本発明は、このような問題点に鑑み、パソコンでの広告において、ソフト提供者、ソフト利用者、広告提供者のいずれにも有用な広告配信方法、広告取得プログラムを提供することを目的とする。
【０００９】
【課題を解決するための手段】
請求項１に記載の発明は、ネットワークを介して広告情報を配信する広告配信サーバと、前記広告配信サーバから前記広告情報を取得するとともに、所定のソフトが動作している際に、前記広告情報の広告を表示するクライアントとを有する広告配信システムでの広告配信方法であって、前記広告配信サーバは、所定時間毎に前記クライアントが有する前記ソフトのライセンスの確認を行う段階と、前記クライアントに広告情報を配信する段階とを有し、前記クライアントは、前記広告配信サーバと前記ソフトを一定期間使用可能とするためのライセンスを確認する段階と、前記広告配信サーバから取得した前記広告情報の広告を表示する段階とを有することを特徴とする。
【００１０】
請求項１によれば、ソフト提供者、ソフト利用者、広告提供者のいずれにも有用な広告配信方法を提供できる。
【００１１】
請求項２に記載の発明は、前記クライアントは、前記広告情報の広告が表示された時間、または回数を含む実績情報を生成する段階と、前記実績情報を前記広告配信サーバに送信する段階とを有することを特徴とする。
【００１２】
請求項２によれば、広告が表示された時間、または回数を含む実績情報を広告配信サーバに送信することができる。
【００１３】
請求項３に記載の発明は、前記広告配信サーバは、前記広告配信サーバが有する複数の広告情報から、前記クライアントが有する前記ソフトの属性、または利用者の属性により広告情報を選択する段階と、選択された広告情報である選択広告情報を送信する段階とを有することを特徴とする。
【００１４】
請求項３によれば、クライアントの利用者の属性に適した広告情報を送信することができる。
【００１５】
請求項４に記載の発明は、前記クライアントは、前記選択広告情報から、表示する広告の広告情報を選択する段階を有することを特徴とする。
【００１６】
請求項４によれば、クライアントの利用者は、広告を選択することができる。
【００１７】
請求項５に記載の発明は、前記実績情報は、前記クライアントを利用するユーザからの前記広告に対するコメントを含むことを特徴とする。
【００１８】
請求項５によれば、クライアントの利用者のコメントを取得することができる。
【００１９】
請求項６に記載の発明は、前記クライアントは、前記広告情報を取得する時期、或いは表示する時期を設定する段階を有することを特徴とする。
【００２０】
請求項６によれば、広告情報を取得する時期、或いは表示する時期を設定することができる。
【００２１】
請求項７に記載の発明は、所定のソフトが動作している際に広告を表示するクライアントにネットワークを介して広告情報を配信する広告配信サーバでの広告配信方法であって、所定時間毎に前記クライアントの有する前記ソフトのライセンスの確認を行う段階を有することを特徴とする広告配信方法。
【００２２】
請求項７によれば、ソフト提供者、ソフト利用者、広告提供者のいずれにも有用な広告配信方法を提供できる。
【００２３】
請求項８に記載の発明は、前記クライアントで前記広告情報の広告が表示された時間、または回数を含む実績情報を受信する段階を有することを特徴とする。
【００２４】
請求項８によれば、広告が表示された時間、または回数を含む実績情報を受信することができる。
【００２５】
請求項９に記載の発明は、複数の広告情報から、前記クライアントが有する前記ソフトの属性により広告情報を選択する段階と、選択された広告情報である選択広告情報を送信する段階とを有することを特徴とする。
【００２６】
請求項９によれば、クライアントの利用者の属性に適した広告情報を送信することができる。
【００２７】
【発明の実施の形態】
以下、本発明の実施の形態を図面に基づいて説明する。
【００２８】
本発明の実施の形態における全体構成図を図１に示す。図１には、広告配信サーバ１０と、パソコン１６と、広告配信サーバ１０とパソコン１６とを接続するインターネット１４とが示されている。
【００２９】
広告配信サーバ１０は、広告の配信を行うサーバである。パソコン１６はソフトウェア（以下、ソフトと記す）がインストールされたパソコンである。このインストールは、ソフトの使用に先立ち予め行っておく形態となっており、そのインストール方法は、ＣＤ−ＲＯＭなどの記憶媒体を用いても良いし、ソフト提供者のソフト提供サーバを用いても良い。
【００３０】
次に、上述した広告配信サーバ１０や、パソコン１６のハードウェア構成図を図２に示す。
【００３１】
図２に示されるハードウェア構成は、それぞれバスＢで相互に接続されている入力装置２２と，表示装置２３と，ドライブ装置２４と，記録媒体２５と，補助記憶装置２６と，メモリ装置２７と，演算処理装置２０と，インターフェース装置２１とを含むように構成される。
【００３２】
入力装置２２は、コンピュータの利用者が操作するキーボード及びマウスなどで構成され、コンピュータに各種操作信号を入力するために用いられる。表示装置２３は、コンピュータを操作するのに必要な各種ウインドウやデータ等を表示する。インターフェース装置２１は、コンピュータをネットワークに接続する為のインターフェースであり、例えばＮＩＣ（Ｎｅｔｗｏｒｋ  Ｉｎｔｅｒｆａｃｅ  Ｃａｒｄ）やモデム等で構成される。
【００３３】
そして、上記コンピュータシステムを動作させるためのプログラムは、上述したように、ＣＤ−ＲＯＭ等の記録媒体２５によって提供されるか、インターネット１４を通じてダウンロードされる。また、記録媒体２５は、ドライブ装置２４にセットされ、データやプログラムが記録媒体２５からドライブ装置２４を介して補助記憶装置２６にインストールされる。
【００３４】
補助記憶装置２６は、データやプログラムを格納すると共に、必要なファイル等を格納する。メモリ装置２７は、コンピュータの起動時に補助記憶装置２６からプログラムを読み出して格納する。演算処理装置２０は、メモリ装置２７に読み出され格納されたプログラムに従って処理を実行する。
【００３５】
次に、図３を用いて、本発明の実施の形態におけるビジネスフローについて説明する。図３には、ソフト利用者５０と、ソフト提供者５１と、広告提供者５２と、広告配信サービス業者５３とが示されている。
【００３６】
ソフト利用者５０は、広告配信サービス業者５３に利用者情報を登録し、広告情報が付加されないソフト６０をパソコンにインストールする。その後当該ソフトを利用するため許可する手続きを行う。その時、広告情報を同時に付加をする。これにより、ソフト利用者５０のパソコンには、ソフト提供者５１からのソフトが動作している際に、広告が表示される。ソフト利用者５０は、この広告に対する評価を広告配信サーバ１０に返信するとともに、ソフトのライセンス更新を広告配信サーバ１０で行う。なお、以下の説明において、ソフト利用者をユーザと表現することもある。また、広告の表示とは、画像あるいは映像が表示されるだけではなく、音も流すことも含まれる。
【００３７】
広告配信サービス業者５３は、例えばＡＳＰ（Ａｐｐｌｉｃａｔｉｏｎ  Ｓｅｒｖｉｃｅ  Ｐｒｏｖｉｄｅｒ）であり、ソフトの配信やソフトのライセンス管理を行う。また、広告配信サービス業者５３は、広告を募集して広告提供者５２からの申し込みを受け付ける。申し込まれた広告を、広告配信サービス業者５３は、ソフト利用者５０のパソコンに配信する。配信した広告に対するソフト利用者からの評価を広告配信サービス業者５３は、広告提供者５２に提供する。
【００３８】
広告提供者５２は、広告配信サービス業者５３に広告を申し込み、その広告に対するソフト利用者の評価を得る。
【００３９】
次に、図４を用いて、上記ビジネスフローにおける対価の提供について説明する。まず、ソフト利用者５０は、ソフト利用に対する利用料をソフト提供者５１に支払う。また、ソフト利用者５０は、ライセンスの更新時に、広告の表示に応じて、ソフト利用料の値引きを受けることができたり、種々のサービスを受けることが可能なポイントを得ることができる。この値引き額やポイント数は、ログ５３に記録された広告の表示時間と回数や、ログ５４に記録された広告に対する評価により決定される。
【００４０】
ソフト提供者５１は、ソフト利用者からソフト利用による利用料を得る。また、広告提供者からの広告料の一部を得ることができる。
【００４１】
広告提供者５２は、図５に示される広告料を支払うとともに、利用者情報、実績、コメントが記録されたデータベース５５をマーケティング情報として参照する。なお、図５は、広告募集の例として、ソフト会社ＡＢＣの広告募集を示しており、例えば「１：１０万円／月」は、広告数１件を１ヶ月に配信した場合の広告料を示している。従って、「３：５万円／月」は、３件の広告を１ヶ月配信した場合の広告１件当たりの広告料を示し、この場合、広告提供者は、１ヶ月に合計１５万円の広告料を支払うことを示している。ソフトの利用者数によって価格を増減しても良い。
【００４２】
次に、ソフト利用者５０でのユーザインタフェースや設定に関する説明をする。
【００４３】
まず、図６を用いて、広告の表示例を説明する。図６の広告の表示方法は、最初に広告７０が表示され、その広告７０に設けられたボタン７１をソフト利用者５０がクリックすることで、次の広告７２が画面に表示されるようにしている。
【００４４】
次に、図７を用いて、広告に関する設定画面について説明する。図７に示される設定画面７３は、広告情報の取得時期を設定するものである。これは、広告情報が更新されることなどから、パソコン１６が自主的に広告を取得する必要があるために行なわれる。
【００４５】
設定画面７３には、取得時期に対応してラジオボタン７５が設けられている。ソフト利用者は、取得したい時期に対応するラジオボタンを選択することにより、広告情報の取得時期の設定をすることができる。
【００４６】
設定画面７４は、広告の表示方法を設定する画面である。この設定画面７４には、チェックボックス７６とテキストボックス７７とが設けられている。チェックボックス７６は、いつ広告を表示するかを設定するためのもので、「起動時」、「表示間隔指定」、「終了時」の３つの設定ができる。このうち「起動時」は、起動時に広告を表示することを示す。「表示間隔指定」は、テキストボックス７６に設定された表示間隔で広告を表示することを示す。「終了時」は、ソフトの終了時に広告を表示することを示す。
【００４７】
次に、図８を用いて、表示する広告の指定をソフト利用者が行う広告指定画面について説明する。この広告指定画面には、広告インデックス画面７８と、表示広告画面７９と、追加ボタン８０と削除ボタン８１とが設けられている。
【００４８】
広告インデックス画面７８には、「Ｎｏ．」、「広告タイトル」、「広告主」、「時間」、「形式」、「容量」の項目が表示される。「Ｎｏ．」は、この広告インデックス画面７８に表示される順番を示す。「広告タイトル」は、広告のタイトルを示す。「広告主」は、広告提供者を示す。「時間」は、その広告の表示時間を示す。「形式」は、その広告のファイル形式を示す。「容量」は、その広告のファイルの大きさを示す。
【００４９】
例えば、「Ｎｏ．」が２の広告は、「広告タイトル」が１２３４６であり、「広告主」は○○建材であり、「時間」は１５秒であり、「形式」はＷＭＰであり、「容量」が２メガバイトであることが示されている。
【００５０】
表示広告画面７９には、「Ｎｏ．」、「広告タイトル」、「実績」、「コメント修正」、「次表示」の項目が表示される。「Ｎｏ．」は、この表示広告画面７９に表示される順番を示す。「広告タイトル」は、広告のタイトルを示す。「実績」は、このパソコンで表示された実績があるかどうかを示す。「コメント修正」は、この広告に対するコメントの修正を示す。「次表示」は、次回表示するものを示す。
【００５１】
ソフト利用者は、広告インデックス画面７８に表示される広告を選択し、追加ボタン８０を押下することにより、ソフト利用者のパソコンに表示する画面を指定することができる。また、表示広告画面７９の広告で、表示したくない広告を選択し、削除ボタン８１を押下することにより、その広告の表示をやめることができる。
【００５２】
以上がユーザインタフェースに関する説明である。次に、広告配信サーバ１０が処理を行う際に用いられる情報について説明する。
【００５３】
最初に、図９に示されるライセンス管理データベースについて説明する。ライセンス管理データベースは、ソフト利用者ごとのライセンス管理情報のデータベースである。そのため、ライセンス管理情報である「ユーザ名」とそれに対応した「ＩＤ番号」と、「パスワード」と、「ソフト名」と、「ライセンス番号」と、「最新更新時刻」と、「暗号化固有情報」と、「広告配信の有無」と、「ソフト属性」の情報を、ソフト利用者ごとに有する。また、ソフト利用者が予め設定しておいた提供して欲しい広告の分野を、その利用者の属性として、上記ライセンス管理情報に加えておいても良い。
【００５４】
「ＩＤ番号」は、ソフト利用者のＩＤ番号であり、「パスワード」は、ソフト利用者の認証に用いられる。「ソフト名」は、ソフト利用者が使用するソフトウェアの名前である。また、「最新更新時刻」は、ライセンスの更新を行った最新の時刻を表している。そして、「暗号化固有情報」は、パソコン１６のＰＣ固有情報を暗号化した情報である。このＰＣ固有情報とは、パソコン１６のＭＡＣ（Ｍｅｄｉａ  Ａｃｃｅｓｓ  Ｃｏｎｔｒｏｌ）アドレスと、コンピュータ名と、プロセッサ情報と、ＨＤ（Ｈａｒｄ  Ｄｉｓｋ）ボリュームシリアル番号と、ＯＳ（Ｏｐｅｒａｔｉｏｎ  Ｓｙｓｔｅｍ）名と、そのＯＳのバージョンのうちのいずれか１つ以上の情報をいう。「ソフト属性」は、ソフトがいかなる分野であるかを示すもので、例えばソフトＡが家計簿ソフトである場合は、金融関係の属性となり、Ｘは金融関係の属性を表す。この「ソフト属性」は、広告配信サーバ１０が、配信する広告情報を選択する際の判断基準として用いられる。
【００５５】
以上説明したライセンス管理情報のうち、「ソフト名」、「ライセンス番号」、「最新更新時刻」、「暗号化固有情報」はソフトの不正利用防止に用いられる。
【００５６】
次に、図１０を用いてライセンスキー情報について説明する。ライセンスキー情報は、広告配信サーバ１０から送信されたユニークなシリアル番号である。図１０の場合、ＡＢ−４２３０３００２−０５−０１がライセンスキー情報となっている。
【００５７】
次に、図１１を用いて、広告インデックス情報について説明する。広告インデックス情報は、図８に示した広告指定画面に表示される情報である。
【００５８】
選択広告情報に対応する広告インデックス情報は、「広告管理Ｎｏ」、「広告タイトル」、「広告主」、「時間」、「形式」、「容量」、「広告属性」の情報を有する。「広告管理Ｎｏ」は、この広告の管理番号を示す。「広告タイトル」は、広告のタイトルを示す。「広告主」は、広告提供者を示す。「時間」は、その広告の表示時間を示す。「形式」は、その広告のファイル形式を示す。「容量」は、その広告のファイルの大きさを示す。「広告属性」は、図９で説明した属性と同じように広告がいかなる分野に属するかを示す属性である。この広告属性が示す分野と一致する分野のソフト属性は、同じ記号が用いられる。
【００５９】
例えば、「広告管理Ｎｏ」が１２３４５の広告は、「広告タイトル」が、建築資材のリースは○○建材へ！であり、「広告主」は○○建材であり、「時間」は３０秒であり、「形式」はＷＭＰであり、「容量」が２メガバイトであることが示されている。
【００６０】
次に、図１２を用いて、広告表示制御情報について説明する。この広告表示制御情報は、先ほど説明した設定画面によりソフト利用者が設定した内容を含む情報である。
【００６１】
広告表示制御情報は、「広告取得フラグ」と、「表示方法」と、「表示する広告数」と、「表示する広告番号」と、「表示中広告番号」の情報を有する。このうち、「広告取得フラグ」には、ソフト利用者が設定した広告取得時期が０から５の間の数字として保持される。「表示方法」には、起動時、表示間隔指定、秒数と終了時の設定が０または１で保持される。また、「表示する広告数」には、広告の表示１回につき、ソフト利用者が設定した広告を何本表示するかが保持される。「表示する広告管理番号」には、ソフト利用者が設定した広告管理番号が保持される。「表示中広告管理番号」には、現に表示されている広告管理番号が保持される。
【００６２】
次に、図１３を用いて、広告実績情報について説明する。この広告実績情報は、ソフト利用者がどの広告を、どのくらいの時間表示したかなど、広告の実績を表すものである。そのため、広告実績情報は、「ＩＤ番号」と、「広告管理番号」と、「日付」と、「表示時間」と、「コメント」の情報を有する。
【００６３】
「ＩＤ番号」は、ソフト利用者のＩＤ番号を示す。「広告管理番号」は、上述したように、広告を管理する番号である。「日付」は、ソフト利用者が広告を見た日付である。「表示時間」は、広告が表示された時間である。「コメント」は、ソフト利用者の広告に対するコメントである。この広告実績情報は、ＩＤ番号、広告番号、日付を順に並べてユニークな情報としたもので管理しても良い。なお、図示されていないが、広告が表示された回数を広告実績情報に加えても良い。
【００６４】
以上説明した情報が、広告配信サーバ１０とパソコン１６で用いられる情報である。次に、図１４を用いて、初回起動時の処理について説明する。
【００６５】
ステップＳ１０１で、パソコン１６にソフトウェアがインストールされる。次のステップＳ１０２で、ソフトウェアが起動される。次に、パソコン１６は、インターネット１４を介して、広告管理サーバ１０にキーライセンス取得依頼を行う。
【００６６】
このとき広告管理サーバ１０に送信される情報は、ＩＤと、パスワードと、ライセンス管理情報と、広告配信の有無情報である。これらの情報を受信した広告管理サーバ１０は、ステップＳ１０４でユーザ認証を行う。ステップＳ１０５で、ユーザの認証が失敗したと判断した場合、広告管理サーバ１０は、パソコン１６に認証失敗を送信し、パソコン１６は、ステップＳ１０６で、認証失敗メッセージを表示して処理を終了する。
【００６７】
ステップＳ１０５で、ユーザの認証が成功したと判断した場合、広告管理サーバ１０は、ステップＳ１０７で、パソコン１６から受信した広告配信の有無情報をライセンス管理データベース１０１に登録する。また、ステップＳ１０７で、広告管理サーバ１０は、ライセンスキーと、広告配信有りの場合は広告インデックス情報をパソコン１６に送信する。
【００６８】
パソコン１６は、ステップＳ１０８で、ライセンスキーと、広告配信有りの場合は広告インデックス情報を取得すると、ライセンスキー情報１０２と広告インデックス情報１０３として、それらの情報を保持する。
【００６９】
以上の処理により、ソフト利用者は、次回の起動よりソフトを使用することが可能となる。また、広告配信される場合、ソフト利用者は広告を見ることも可能となる。
【００７０】
次に、図１５を用いて、パソコン１６におけるソフトの起動及び実行時の処理を説明する。
【００７１】
ステップＳ２０１で、パソコン１６は、広告の取得やライセンスの更新を行う場合、ステップＳ２０２へ処理を進める。ステップＳ２０２で、パソコン１６は、ライセンスの更新処理と、広告が配信される設定の場合は、広告管理サーバ１０から広告情報１０４の取得処理を広告配信サーバ１０との間で行う。
【００７２】
ステップＳ２０１で、広告の取得やライセンスの更新を行わない場合、パソコン１６は、ステップＳ２０３へ処理を進める。ステップＳ２０３で、パソコン１６は、起動時表示の設定になっているかどうか判断し、起動時表示の設定になっている場合、ステップＳ２０４で、広告表示処理を行う。
【００７３】
次にパソコン１６は、ステップＳ２０５で、ソフトを起動する。そして、設定画面でソフト利用者に設定させる場合には、ステップＳ２０６で設定画面を表示し入力させる。その設定は、広告表示制御情報１０５に保持される。その後、パソコン１６は、広告を表示する時刻かどうか判断し、表示する時刻であれば、ステップＳ２０８で広告表示処理を行う。
【００７４】
次のステップＳ２０９で、ソフトの利用が終了したと判断されると、ステップＳ２１０で、パソコン１６は、終了時に広告を表示する設定となっているかどうか判断する。終了時に広告を表示する設定となっている場合は、ステップＳ２１１で広告表示処理が行われ、表示しない設定となっている場合は処理を終了する。
【００７５】
次に、図１６を用いて、図１５の広告表示処理について説明する。ステップＳ３０１で、パソコン１６は、広告表示制御情報１０５と広告情報１０４を参照して広告ファイルを開くとともに、ステップＳ３０２で広告が表示される時間をカウントし、広告ファイルを実行しているプロセスの監視を行う。
【００７６】
パソコン１６は、広告の表示が強制終了されると、コメントをソフト利用者に入力させ、そのコメントと広告が表示されていた時間などを、広告実績情報１０６に保持し、処理を終了する。
【００７７】
次に、図１７を用いてライセンス更新処理の詳細について説明する。ステップＳ４０１で、パソコン１６は、広告実績情報１０６から広告の実績を取得し、広告管理サーバ１０にライセンスの更新依頼を行う。このとき広告管理サーバ１０に送信される情報は、広告実績情報に加え、ＩＤ、パスワード、ライセンス管理情報、広告配信の有無情報である。これらの情報を受信した広告管理サーバ１０は、ステップＳ４０２でユーザ認証を行う。このステップＳ４０２は、ライセンスを確認する段階に対応し、ソフト利用者は、前記ソフトを一定期間使用可能となる。
【００７８】
ステップＳ４０３で、ユーザの認証が失敗したと判断した場合、広告管理サーバ１０は、パソコン１６に認証失敗を送信し、パソコン１６は、ステップＳ４０４で、認証失敗メッセージを表示して処理を終了する。
【００７９】
ステップＳ４０３で、ユーザの認証が成功したと判断した場合、広告管理サーバ１０は、ステップＳ４０５で、広告インデックス情報１０３と広告情報１０４からパソコン１６に送信する情報を取得し、その情報を送信する。このとき送信される情報は、ライセンスキーと、広告インデックス情報と、広告情報である。また、ここで送信される広告情報は、図９で説明したソフト属性または利用者の属性と一致する広告属性であり、広告管理サーバ１０で選択された広告情報である。
【００８０】
パソコン１６は、ステップＳ４０６で、ライセンスキーと、広告インデックス情報と、広告情報を取得すると、ライセンスキー情報１０２と広告インデックス情報１０３と広告情報１０４として、それらの情報を保持する。
【００８１】
【発明の効果】
以上説明したように、本発明によれば、パソコンでの広告において、ソフト提供者、ソフト利用者、広告提供者のいずれにも有用な広告配信方法、広告取得プログラムが得られる。
【図面の簡単な説明】
【図１】本発明の実施の形態における全体構成図である。
【図２】コンピュータのハードウェア構成図である。
【図３】ビジネスフローを示す図である。
【図４】対価の提供を示す図である。
【図５】広告募集の例を示す図である。
【図６】広告の表示例を示す図である。
【図７】設定画面を示す図である。
【図８】広告指定画面を示す図である。
【図９】ライセンス管理データベースを示す図である。
【図１０】ライセンスキー情報を示す図である。
【図１１】広告インデックス情報を示す図である。
【図１２】広告表示制御情報を示す図である。
【図１３】広告実績情報を示す図である。
【図１４】初回起動時の処理を示すフローチャートである。
【図１５】ソフトの起動及び実行時の処理を示すフローチャートである。
【図１６】広告表示処理を示すフローチャートである。
【図１７】ライセンス更新処理を示すフローチャートである。
【符号の説明】
１０…広告配信サーバ
１４…インターネット
１６…パソコン
２０…演算処理装置
２１…インターフェース装置
２２…入力装置
２３…表示装置
２４…ドライブ装置
２５…記録媒体
２６…補助記憶装置
２７…メモリ装置
５０…ソフト利用者
５１…ソフト提供者
５２…広告提供者
５３、５４…ログ
５５…データベース
７０、７２…広告
７１…ボタン
７３、７４…設定画面
７５…ラジオボタン
７６…チェックボックス
７７…テキストボックス
１０１…ライセンス管理データベース
１０２…ライセンスキー情報
１０３…広告インデックス情報
１０４…広告情報
１０５…広告表示制御情報
１０６…広告実績情報
【図１】
2004302697.tif 000003
【図２】
2004302697.tif 000004
【図３】
2004302697.tif 000005
【図４】
2004302697.tif 000006
【図５】
2004302697.tif 000007
【図６】
2004302697.tif 000008
【図７】
2004302697.tif 000009
【図８】
2004302697.tif 000010
【図９】
2004302697.tif 000011
【図１０】
2004302697.tif 000012
【図１１】
2004302697.tif 000013
【図１２】
2004302697.tif 000014
【図１３】
2004302697.tif 000015
【図１４】
2004302697.tif 000016
【図１５】
2004302697.tif 000017
【図１６】
2004302697.tif 000018
【図１７】
2004302697.tif 000019